(57)【要約】【課題】固定用部品の数を減らすことができる電子機器を得る。【解決手段】電子機器１は、筐体１１と、この筐体１１に収容されるとともに、表示画面１２ａを有する表示装置１２とを具備する。筐体１１は、表示画面１２ａを筐体１１の外部に露出させる開口部１２ｄが形成されたマスク部１５と、表示装置１２に対してマスク部１５とは反対側に位置するとともに、マスク部１５と組み合わされて筐体１１を形成するカバー部１６とを有する。カバー部１６の少なくとも一部は、マスク部１５と一体に成形されている。マスク部１５に一体に成形されたカバー部１６の領域とマスク部１５との間には、マスク部１５がカバー部１６に向かい合う第１の状態とマスク部１５がカバー部１６から開かれた第２の状態との間で折り曲げ可能なヒンジ部３１が設けられている。【選択図】      図３
2009059169.tif 000002
【特許請求の範囲】
【請求項１】
筐体と、
上記筐体に収容されるとともに、表示画面を有する表示装置と、を具備し、
上記筐体は、上記表示画面を該筐体の外部に露出させる開口部が形成されたマスク部と、上記表示装置に対して上記マスク部とは反対側に位置するとともに、上記マスク部と組み合わされて該筐体を形成するカバー部とを有し、
上記カバー部の少なくとも一部は、上記マスク部と一体に成形されており、
上記マスク部に一体に成形されたカバー部の領域と上記マスク部との間には、上記マスク部が上記カバー部に向かい合う第１の状態と上記マスク部が上記カバー部に対して開かれた第２の状態との間で折り曲げ可能なヒンジ部が設けられていることを特徴とする電子機器。
【請求項２】
請求項１に記載の電子機器において、
上記ヒンジ部は、上記カバー部と上記マスク部との間の境界部分に沿って線状に延びていることを特徴とする電子機器。
【請求項３】
請求項２に記載の電子機器において、
上記ヒンジ部は、上記筐体内に突出するとともに該ヒンジ部の延伸方向に沿って延びた梁部を有することを特徴とする電子機器。
【請求項４】
請求項３に記載の電子機器において、
上記ヒンジ部は、上記梁部と上記マスク部との間および上記梁部と上記カバー部との間に、上記カバー部の基本肉厚に比べて薄くなった薄肉部分を有することを特徴とする電子機器。
【請求項５】
請求項４に記載の電子機器において、
上記梁部は、上記マスク部に臨む該梁部の縁部から上記筐体内に向いて突出するとともに該梁部の延伸方向に沿って延びた第１のリブと、上記カバー部に臨む該梁部の縁部から上記筐体内に向いて突出するとともに該梁部の延伸方向に沿って延びた第２のリブと、上記第１のリブの突出端と上記第２のリブの突出端との間に渡された連結部とを有することを特徴とする電子機器。
【請求項６】
請求項５に記載の電子機器において、
上記連結部の肉厚が上記カバー部の基本肉厚よりも厚いことを特徴とする電子機器。
【請求項７】
請求項６に記載の電子機器において、
上記マスク部に設けられた第１の嵌合部と、
上記カバー部に設けられるとともに、上記筐体が組み立てられたときに上記第１の嵌合部に嵌合する第２の嵌合部と、を備えることを特徴とする電子機器。
【請求項８】
請求項７に記載の電子機器において、
上記筐体に収容されたアンテナを備え、
上記カバー部は、上記アンテナが実装される領域に設けられたアンテナカバーを含み、このアンテナカバーが上記カバー部の他の部分とは別体に成形されるとともに、上記マスクと一体に成形されていることを特徴とする電子機器。
【請求項９】
請求項８に記載の電子機器において、
上記カバー部の他の部分は、金属製であることを特徴とする電子機器。
【発明の詳細な説明】
【技術分野】
【０００１】
本発明は、複数の部材から成る筐体を備える電子機器に関する。
【背景技術】
【０００２】
ポータブルコンピュータのような電子機器は、表示装置を収容した筐体を備える。この筐体の多くは、表示装置の表示画面を外部に露出させる開口部が形成されたマスク部と、上記マスク部とは反対側から上記表示装置に対向するカバー部とを有する。このマスク部とカバー部とは、互いに分かれて形成されているとともに、表示装置等を実装した後に互いに組み合わされて筐体を形成する。
【０００３】
特許文献１は、アンテナを有する情報処理装置を開示している。この情報処理装置は、金属筐体内にアンテナを収容するとともに、金属筐体におけるアンテナの配置部分に切欠き部を設けている。この切欠き部は、プラスチックなどの非金属部材で成るアンテナカバーにより覆われている。このような構成によれば、アンテナの電波送受信の特性が良くなる。
【特許文献１】特開２００２−３２１５０号公報
【発明の開示】
【発明が解決しようとする課題】
【０００４】
筐体の組立には、例えばねじのような固定用部品が一般に用いられる。しかしながら、このような固定用部品の使用数が多いと筐体の組立性の低下を招くおそれがある。  
上記特許文献に記載のように、カバー部の一部（例えばアンテナカバー）がカバー部の他の部分と別体に形成されていると、筐体の組立に必要な固定用部品の数が多くなる。
【０００５】
本発明は、固定用部品の数を減らすことができる電子機器を得ることにある。
【課題を解決するための手段】
【０００６】
本発明の一つの形態に係る電子機器は、筐体と、上記筐体に収容されるとともに、表示画面を有する表示装置とを具備する。上記筐体は、上記表示画面を該筐体の外部に露出させる開口部が形成されたマスク部と、上記表示装置に対して上記マスク部とは反対側に位置するとともに、上記マスク部と組み合わされて該筐体を形成するカバー部とを有する。上記カバー部の少なくとも一部は、上記マスク部と一体に成形されている。上記マスク部に一体に成形されたカバー部の領域と上記マスク部との間には、上記マスク部が上記カバー部に向かい合う第１の状態と上記マスク部が上記カバー部から開かれた第２の状態との間で折り曲げ可能なヒンジ部が設けられている。
【発明の効果】
【０００７】
本発明によれば、固定用部品の数を減らすことができる。
【発明を実施するための最良の形態】
【０００８】
以下に、本発明の実施の形態をポータブルコンピュータに適用した図面に基づいて説明する。図１ないし図５は、本発明の第１の実施形態に係る電子機器としてのポータブルコンピュータ１を開示している。図１は、ポータブルコンピュータ１の全体を示す。図１に示すように、ポータブルコンピュータ１は、本体２と、表示ユニット３とを備えている。
【０００９】
本体２は、箱状に形成された本体筐体５を備える。本体筐体５は、上壁５ａ、周壁５ｂ、および下壁５ｃを有する。上壁５ａは、キーボード６を支持している。本体筐体５は、周壁５ｂの一部と上壁５ａとを含む筐体カバー７と、周壁５ｂの一部と下壁５ｃとを含む筐体ベース８とを有する。筐体カバー７は、筐体ベース８に対して組み合わされ、筐体ベース８との間に例えばメインボード（図示しない）を収容する収容空間を形成している。
【００１０】
図１に示すように、表示ユニット３は、箱状に形成された表示部筐体１１と、この表示部筐体１１に収容された表示装置１２とを備える。表示部筐体１１は、本発明でいう筐体の一例であり、以下では単に筐体１１と略称する。表示装置１２の一例は液晶表示モジュールであるが、本発明でいう表示装置はこれに限らず、例えばプラズマディスプレイや有機エレクトリックルミネッセンスディスプレイなど種々の表示装置であってもよい。表示装置１２は、その一面に表示画面１２ａを有する。
【００１１】
表示ユニット３は、本体筐体５の後端部に一対の本体ヒンジ部１３ａ，１３ｂを介して支持されている。そのため、表示ユニット３は、本体筐体５の上壁５ａを上方から覆うように倒される閉じ位置（図２参照）と、上壁５ａを露出させるように起立する開き位置（図１参照）との間で回動可能である。
【００１２】
図３は、表示ユニット３の断面図を示す。図１ないし図３に示すように、表示ユニット３の筐体１１は、表示装置１２の前側（すなわちユーザー側）に位置する前壁１１ａと、表示装置１２の背後側に位置する背壁１１ｃと、前壁１１ａの周縁部と背壁１１ｃの周縁部との間を繋ぐ周壁１１ｂとを有する。前壁１１ａには、表示画面１２ａを筐体１１の外部に露出させる開口部１１ｄが形成されている。
【００１３】
この筐体１１は、周壁１１ｂの一部と前壁１１ａとを含むマスク部１５と、周壁１１ｂの一部と背壁１１ｃとを含むとともに表示装置１２に対してマスク部１５とは反対側に位置するカバー部１６とを有する。筐体１１は、このマスク部１５とカバー部１６とが互いに組み合わされて形成されている。
【００１４】
本実施形態では、筐体１１は、周壁１１ｂの一部と前壁１１ａとを含むＬＣＤマスク２１と、周壁１１ｂの一部と背壁１１ｃの一部とを含むＬＣＤカバー２２と、周壁１１ｂの一部と背壁１１ｃの一部を含むアンテナカバー２３とを備える。すなわち本実施形態では、ＬＣＤマスク２１が上記マスク部１５の一例を形成している。さらに、ＬＣＤカバー２２とアンテナカバー２３とが互いに協働して上記カバー部１６の一例を形成している。つまりアンテナカバー２３は、カバー部１６の一部である。またＬＣＤカバー２２は、アンテナカバー２３を外れたカバー部１６の大部分を占めるとともに、本発明でいう「カバー部の他の部分」の一例に該当する。
【００１５】
図３に示すように、筐体１１は、アンテナ２５を収容している。本発明に係るアンテナ２５の種類は特に限定されるものではなく、例えばＢｌｕｅｔｏｏｔｈ（登録商標）や無線ＬＡＮ、無線ＷＡＮ、ＷｉＭＡＸ、ＵＷＢ、ＧＰＳ、または携帯電話方式に対応した種々のものが具体例として挙げられる。
【００１６】
アンテナカバー２３は、アンテナ２５が実装される領域に設けられ、アンテナ２５に対向している。図２および図３に示すように、アンテナカバー２３は、筐体１１において本体ヒンジ１３ａ，１３ｂに臨む端部とは反対側の端部、すなわち表示ユニット３を開き位置にしたときに上端部となる領域に設けられている。アンテナカバー２３は、筐体１１の端部において、筐体１１の周囲稜の一つに沿って筐体１１の幅方向に延びている。
【００１７】
アンテナカバー２３は、ＬＣＤカバー２２とは別体に成形されている。ＬＣＤカバー２２の一例は、金属製であり、例えばマグネシウム合金のような金属で造られている。アンテナカバー２３は、非金属製であり、例えばプラスチックで造られている。このようなアンテナカバー２３を備えると、例えばＬＣＤカバー２２が金属製である場合であっても、アンテナ２５による送受信を良好に行うことができる。  
なお、ＬＣＤカバー２２は、金属製に限られるものではなく、例えばプラスチック製であってもよい。また、ＬＣＤマスク２１の一例は、プラスチック製である。
【００１８】
図３に示すように、アンテナカバー２３には、ＬＣＤカバー２２に溶着される溶着部２６が設けられている。アンテナカバー２３は、上記溶着部２６をＬＣＤカバー２２に溶着することでＬＣＤカバー２２に固定されている。
【００１９】
一方、アンテナカバー２３は、ＬＣＤマスク２１と一体に成形されている。また、アンテナカバー２３とＬＣＤマスク２１との間には、ヒンジ部３１が設けられている。このヒンジ部３１は、マスク部１５がカバー部１６に対して向かい合う第１の状態（図５中、二点鎖線参照）と、マスク部１５がカバー部１６に対して開かれた第２の状態（図５中、実線参照）との間で折り曲げ可能である。このヒンジ部３１で折り曲げられた稜線が、筐体１１の周囲稜線の一部を形成する。
【００２０】
ヒンジ部３１は、例えばマスク部１５がカバー部１６に対して１８０°開かれる位置まで変形可能である。すなわちＬＣＤマスク２１とアンテナカバー２３とは、互いに直線状に並ぶことができる。
【００２１】
この一体に成形されたＬＣＤマスク２１およびアンテナカバー２３の材料は、上記ヒンジ機能に適した材料として例えばポリプロピレン材が挙げられるが、このポリプロピレン材に限られるものではない。ＬＣＤマスク２１およびアンテナカバー２３の材料としては、例えば１回又は数回の折り曲げ動作に耐える性質を有する材料であればよく、種々の材料を幅広く採用することができる。
【００２２】
図２中では説明のため、ヒンジ部３１にハッチングを施してある。図２に示すように、ヒンジ部３１は、ＬＣＤマスク２１とアンテナカバー２３との間の境界部分に沿って線状に延びている。詳しくは、ＬＣＤマスク２１およびアンテナカバー２３は、それぞれ矩形状に形成されている。ヒンジ部３１は、互いに隣り合うＬＣＤマスク２１の一つの辺２１ａ（図１参照）とアンテナカバー２３の一つの辺２３ａとの間に設けられている。ヒンジ部３１は、例えばアンテナカバー２３の一端から他端に亘りも設けられている。なお、ヒンジ部３１は、アンテナカバー２３の一端から他端の間の少なくとも一部に設けられていればよい。
【００２３】
図４に示すように、ヒンジ部３１は、筐体１１内に突出する梁部３２を備える。梁部３２は、例えばヒンジ部３１の延伸方向に沿って延びている。梁部３２は、例えばヒンジ部３１の長手方向の全長に亘って設けられている。なお梁部３２は、ヒンジ部３１の全長のなかの一部のみに設けられてもよい。また梁部３２は、ヒンジ部３１から筐体１１の外側に向いて突出してもよい。
【００２４】
梁部３２は、例えばアーチ状に形成されている。詳しくは図４に示すように、梁部３２は、第１および第２のリブ３２ａ，３２ｂと連結部３２ｃとを有する。第１のリブ３２ａは、ＬＣＤマスク２１に臨む梁部３２の縁部から筐体１１内に向いて突出するとともに、該梁部３２の延伸方向に沿って延びている。第２のリブ３２ｂは、アンテナカバー２３に臨む梁部３２の縁部から筐体１１内に向いて突出するとともに、該梁部３２の延伸方向に沿って延びている。連結部３２ｃは、第１のリブ３２ａの突出端と第２のリブ３２ｂの突出端との間に渡されている。
【００２５】
連結部３２ｃの肉厚は、例えばＬＣＤカバー２２の基本肉厚よりも厚い。なお「基本肉厚」とは、その部材のなかで最も広く採用されている肉厚を指す。ＬＣＤカバー２２の基本肉厚は、例えば１．０ｍｍ未満であり、一例としては０．５ｍｍ〜０．８ｍｍである。一方、連結部３２ｃの肉厚は、例えば１．０ｍｍである。なお、梁部３２の形状は、アーチ形に限定されるものではなく、平状に比べて断面係数が大きくなる形状であればよく、例えばＨ形やＬ形、Ｔ形でなどの種々の形状を適宜採用することができる。
【００２６】
一方、梁部３２とＬＣＤマスク２１との間には、第１の薄肉部分３５が設けられている。さらに、梁部３２とアンテナカバー２３との間には、第２の薄肉部分３６が設けられている。第１および第２の薄肉部分３５，３６は、ヒンジ部３１のなかで実際に折り曲げられる部位であり、例えばＬＣＤカバー２２の基本肉厚に比べて薄くなっている。この第１および第２の薄肉部分３５，３６を屈曲または伸ばすことで、ヒンジ部３１が上記第１の状態と第２の状態との間で変形する。
【００２７】
なお、図４に示すように、ヒンジ部３１は、第１および第２のリブ３２ａ，３２ｂおよび連結部３２ｃを有することで、筐体１１の外面から凹状になった凹部３８を有する。図４中に二点鎖線で示すように、ヒンジ部３１の凹部３８には、化粧部材の一例である化粧用ゴム３９が必要に応じて取り付けられる。
【００２８】
図５に示すように、ＬＣＤマスク２１の内壁面２１ｂには、第１の嵌合部としての嵌合爪４１が設けられている。アンテナカバー２３の内壁面２３ｂには、第２の嵌合部としての受けリブ４２が設けられている。受けリブ４２には、嵌合爪４１が係合可能な穴４２ａが設けられている。図４に示すように、筐体が組み立てられたとき、嵌合爪４１は受けリブ４２の穴４２ａに嵌合し、これによりＬＣＤマスク２１とアンテナカバー２３との間の固定が強固になる。
【００２９】
このような嵌合爪４１および受けリブ４２は、例えばそれぞれ複数箇所に設けられている。なお上記に代えて、ＬＣＤマスク２１に受けリブ４２を設けるとともに、アンテナカバー２３に嵌合爪４１を設けてよいのはもちろんである。
【００３０】
図１に示すように、筐体１１の幅方向の両端部には、ＬＣＤマスク２１をＬＣＤカバー２２に固定するねじ４５と、このねじ４５を筐体１１の外部から隠す化粧部材４６が設けられている。一方、アンテナカバー２３をＬＣＤカバー２２またはＬＣＤマスク２１に固定するねじなどは設けられていない。
【００３１】
次に、表示ユニット３の製造方法について説明する。  
アンテナカバー２３は、ＬＣＤマスク２１に対して開かれた状態、すなわちアンテナカバー２３とＬＣＤマスク２１とが一直線状になった状態（図５中、実線参照）で、例えば射出成形などの方法でＬＣＤマスク２１と一体に成形される。このＬＣＤマスク２１と一体に成形されたアンテナカバー２３は、ＬＣＤカバー２２に溶着により固定される。これにより、ＬＣＤマスク２１、ＬＣＤカバー２２、およびアンテナカバー２３から成るサブ組立部品が形成される。
【００３２】
ポータブルコンピュータ１の組立工程では、ＬＣＤマスク２１がＬＣＤカバー２２から開かれた状態で、ＬＣＤカバー２２の内側に表示装置１２およびその他部品を実装するとともに、アンテナカバー２３の内側にアンテナ２５を実装する。これらの部品を実装した後、ヒンジ部３１を中心としてＬＣＤマスク２１をアンテナカバー２３に対して折り曲げて、ＬＣＤマスク２１をＬＣＤカバー２２に対して組み合わせる。このＬＣＤマスク２１をＬＣＤカバー２２に対して組み合わせる過程において嵌合爪４１を受けリブ４２の穴４２ａに差し込み、ＬＣＤマスク２１とアンテナカバー２３との間の固定を強固にする。ＬＣＤマスク２１をＬＣＤカバー２２に対して組み合わせた後、ねじ４５によってＬＣＤマスク２１をＬＣＤカバー２２に固定する。これにより、表示ユニット３が組み上がる。
【００３３】
このような構成のポータブルコンピュータ１によれば、ねじのような固定用部品の数を減らすことができる。つまり、カバー部１６の少なくとも一部（すなわち、本実施形態ではアンテナカバー２３）がマスク部１５と一体に成形されていると、カバー部１６とマスク部１５との間の繋がった部分で、カバー部１６に対するマスク部１５の固定がある程度確保される。したがって、マスク部１５をカバー部１６に固定するための固定用部品を減らすことができる。
【００３４】
さらに、そのマスク部１５に一体に成形されたカバー部１６の領域とマスク部１５との間に折り曲げ可能なヒンジ部３１が設けられていると、筐体１１の完成時の形状にとらわれることなく、そのカバー部１６の領域とマスク部１５との成形することができる。詳しく述べると、マスク部１５とカバー部１６とは互いに反対側から表示装置１２に向かい合う部位であるため、完成時の形状のまま成形することは困難である。しかしながら、マスク部１５がカバー部１６に向かい合う第１の状態とマスク部１５がカバー部１６に対して開かれた第２の状態との間で折り曲げ可能なヒンジ部３１が設けられていると、成形に適した上記第２の状態で、カバー部１６の部分とマスク部１５とを一体成形することができる。
【００３５】
すなわち、このようなヒンジ部３１を備えることは、カバー部１６の少なくとも一部をマスク部１５と一体に成形することを小さなコストで実現可能にし、マスク部１５をカバー部１６に固定するための固定用部品を減らすことに大きく寄与する。
【００３６】
固定用部品、特にねじのような回転を伴う取付け作業を必要とする固定用部品を減らすことができると、組立作業が単純化し、ポータブルコンピュータ１の組立性を大きく向上させることができる。また、アンテナカバー２３のようにＬＣＤカバー２２とは別体に設けられる部材がマスク部１５と一体に成形されると、筐体１１に用いられる部品点数の削減を図ることができる。
【００３７】
ヒンジ部３１がカバー部１６とマスク部１５との間の境界部分に沿って線状に延びていると、カバー部１６とマスク部１５との間が一定の領域に亘り互いに繋がっているので、マスク部１５がカバー部１６に対して予め比較的強固に繋がっているといえる。したがって、マスク部１５をカバー部１６に固定するための固定用部品をさらに減らすことができる。
【００３８】
ヒンジ部３１が筐体１１内に突出する梁部３２を有すると、マスク部１５とカバー部１６との間の領域の断面係数が増加するので、例えばＬＣＤマスク２１とアンテナカバー２３とが別体に設けられている場合に比べて筐体１１の剛性が高くなる。筐体１１の剛性が高くなると、マスク部１５をカバー部１６に対して強固に固定する必要が少なくなるので、マスク部１５をカバー部１６に固定するための固定用部品をさらに減らすことができる。
【００３９】
例えばアンテナ２５およびアンテナカバー２３を備える場合、アンテナ２５から一定範囲内には、例えば表示装置のような金属を含む部品を配置することができない。このため筐体１１内においてアンテナカバー２３の周辺にはデッドスペースが生じやすい。本実施形態の梁部３２は、このデッドスペースを有効利用して設けられたものである。すなわちこのような梁部３２を設けることによっても、筐体１１の大型化を避けて、小型のポータブルコンピュータ１を提供することができる。
【００４０】
さらに、この梁部３２がヒンジ部３１の延伸方向に沿って延びていると、筐体１１の幅方向に一本の梁が通ることになり、筐体１１の剛性が高くなる。さらに、梁部３２が第１および第２のリブ３２ａ，３２ｂと連結部３２ｃとを有すると、例えば一つリブからなる梁部３２に比べて筐体１１の剛性がさらに高くなる。なお筐体１１の剛性が高まることによる効果は上記通りである。
【００４１】
上述したように、筐体１１内においてアンテナカバー２３の周辺にはデッドスペースが生じやすい。連結部３２ｃの肉厚をカバー部１６の基本肉厚よりも厚くしても、筐体１１の大型化を避けつつ、筐体１１の剛性をより高めることができる。
【００４２】
アンテナカバー２３が設けられる筐体１１の上端部は、表示ユニット３を本体２に対して開閉する際にユーザーがよく手にする部分であり、十分な剛性を有することが好ましい。しかしながら、ＬＣＤマスク２１やＬＣＤカバー２２とは別体にアンテナカバー２３を設けると、どうしても筐体１１の上端部の剛性が小さくなってしまう。
【００４３】
一方、本実施形態によれば、アンテナカバー２３をＬＣＤマスク２１と一体に成形するとともに、アンテナカバー２３とＬＣＤマスク２１との間の境界部分に沿って一本の梁部３２が通っている。これにより、アンテナカバー２３を設けた筐体１１の上端部に十分な剛性を確保することができる。
【００４４】
梁部３２とマスク部１５との間および梁部３２とカバー部１６との間に薄肉部分３５，３６が設けられていると、梁部３２によってヒンジ部３１の剛性を高めるとともに、この薄肉部分３５，３６によってヒンジ部３１の機能を確保することができる。
【００４５】
ヒンジ部３１は、プラスチックでできた薄肉部分で繋がっている。そのため、ヒンジ部３１を折り曲げたときに筐体１１が膨れようとすることが想定される。嵌合爪４１と受けリブ４２とが設けられていると、筐体１１を組み立てる際に嵌合爪４１を受けリブ４２に係合させることで、筐体１１が膨れることを抑制することができる。
【００４６】
ＬＣＤカバー２２が金属製であると、非金属製のアンテナカバー２３は必然的にＬＣＤカバー２２とは別体に形成されることになる。しかしながら本実施形態によれば、このようなポータブルコンピュータ１においても、固定用部品の削減、部品点数の削減、筐体１１の剛性アップを図ることができる。
【００４７】
次に、本発明の第２の実施形態に係る電子機器としてのポータブルコンピュータ１について、図６を参照して説明する。なお第１の実施形態に係るポータブルコンピュータと同一または類似の機能を有する構成は、同一の符号を付してその説明を省略する。この第２の実施形態は、上記第１の実施形態に対して表示ユニット３の筐体１１の形状が異なるものであり、ポータブルコンピュータ１の基本的な構成は上記第１の実施形態と同じである。
【００４８】
ポータブルコンピュータ１は、本体２と、表示ユニット３とを備えている。表示ユニット３は、筐体１１と、この筐体１１に収容された表示装置１２とを備える。筐体１１は、マスク部１５と、カバー部１６とを有する。
【００４９】
本実施形態では、筐体１１は、周壁１１ｂの一部と前壁１１ａとを含むＬＣＤマスク２１と、周壁１１ｂの一部と背壁１１ｃとを含むＬＣＤカバー２２とを備える。そして、ＬＣＤマスク２１が上記マスク部１５の一例を形成している。さらに、ＬＣＤカバー２２が上記カバー部１６の一例を形成している。本実施形態ではアンテナカバーは設けられていない。
【００５０】
本実施形態では、ＬＣＤマスク２１は、ＬＣＤカバー２２と一体に成形されている。すなわちマスク部１５がカバー部１６の全部と一体に成形されている。ＬＣＤマスク２１とＬＣＤカバー２２との間には、上記第１の実施形態と同じ構造のヒンジ部３１が設けられている。すなわちヒンジ部３１は、梁部３２と第１および第２の薄肉部分３５，３６とを有する。ヒンジ部３１は、ＬＣＤマスク２１がＬＣＤカバー２２に対して向かい合う第１の状態と、ＬＣＤマスク２１がＬＣＤカバー２２に対して開かれた第２の状態との間で折り曲げ可能である。
【００５１】
図６に示すように、ヒンジ部３１は、ＬＣＤマスク２１とＬＣＤカバー２２との間の境界部分に沿って線状に延びている。詳しくは、ＬＣＤマスク２１およびＬＣＤカバー２２は、それぞれ矩形状に形成されている。ヒンジ部３１は、互いに隣り合うＬＣＤマスク２１の一つの辺２１ａとＬＣＤカバー２２の一つの辺２２ａとの間に設けられている。ヒンジ部３１は、例えばＬＣＤカバー２２の一端から他端に亘りも設けられている。なお、ヒンジ部３１は、ＬＣＤカバー２２の一端から他端の間の少なくとも一部に設けられていればよい。
【００５２】
このような構成のポータブルコンピュータ１によれば、ねじのような固定用部品の数を減らすことができる。つまり、カバー部１６の少なくとも一部（すなわち、本実施形態ではカバー部１６の全部となるＬＣＤカバー２２）がマスク部１５と一体に成形されていると、カバー部１６とマスク部１５との間の繋がった部分で、カバー部１６に対するマスク部１５の固定がある程度確保される。したがって、マスク部１５をカバー部１６に固定するための固定用部品を減らすことができる。さらに、ヒンジ部３１が設けられていると、筐体１１の完成時の形状にとらわれることなくカバー部１６およびマスク部１５を成形することができる。
【００５３】
以上、本発明の第１および第２の実施形態に係るポータブルコンピュータ１について説明したが、本発明はこれらに限定されるものではない。各実施形態に係る構成は、適宜組み合わせて実施することができる。
【図面の簡単な説明】
【００５４】
【図１】本発明の第１の実施形態に係るポータブルコンピュータの斜視図。
【図２】図１中に示されたポータブルコンピュータの斜視図。
【図３】図１中に示された表示ユニットの断面図。
【図４】図３中に示された表示ユニットの一点鎖線Ｆ４で囲まれた領域を拡大して示す断面図。
【図５】図４中に示されたヒンジ部の開いた状態を示す断面図。
【図６】本発明の第２の実施形態に係る表示ユニットの筐体の斜視図。
【符号の説明】
【００５５】
１…ポータブルコンピュータ、１１…表示部筐体、１１ｄ…開口部、１２…表示装置、１２ａ…表示画面、１５…マスク部、１６…カバー部、２１…ＬＣＤマスク、２２…ＬＣＤカバー、２３…アンテナカバー、２５…アンテナ、２６…溶着部、３１…ヒンジ部、３２…梁部、３２ａ…第１のリブ、３２ｂ…第２のリブ、３２ｃ…連結部、３５，３６…薄肉部分、３６…第２の薄肉部分、４１…嵌合爪、４２…受けリブ。
【図１】
2009059169.tif 000003
【図２】
2009059169.tif 000004
【図３】
2009059169.tif 000005
【図４】
2009059169.tif 000006
【図５】
2009059169.tif 000007
【図６】
2009059169.tif 000008